【手続補正書】
【提出日】平成24年11月9日(2012.11.9)
【手続補正１】
【補正対象書類名】特許請求の範囲
【補正対象項目名】全文
【補正方法】変更
【補正の内容】
【特許請求の範囲】
【請求項１】
指定された文書を示す問合せ文書の近似対象となる文書を示す登録文書に含まれる文章を分解することにより得られる部分文字列と、前記登録文書における当該部分文字列の位置と、を記憶する記憶手段を備え、指定される前記問合せ文書に近似する前記登録文書を決定する情報処理装置であって、
前記問合せ文書を分解することにより得られる部分文字列と同じ部分文字列であって、前記記憶手段に記憶された登録文書に含まれる部分文字列を取得する部分文字列取得手段と、
前記問合せ文書に対する前記部分文字列の位置及び前記部分文字列取得手段によって取得した登録文書に対する部分文字列の位置から求まる、前記問合せ文書に対する部分文字列と前記登録文書に対する部分文字列と、の位置関係とその部分文字列の数を用いて、前記登録文書と前記問合せ文書との近似度合を算出する算出手段と、
前記算出手段による算出結果に従って、問合せ文書に近似する登録文書を決定する決定手段と、
を備えることを特徴とする情報処理装置。
【請求項２】
前記算出手段は、前記位置関係が、同じ位置関係を有する数を前記その部分文字列の数として用いることを特徴とする請求項１に記載の情報処理装置。
【請求項３】
前記算出手段は、前記位置関係が一致した数を前記その部分文字列の数として用いることを特徴とする請求項１または２に記載の情報処理装置。
【請求項４】
前記記憶手段に記憶されている登録文書の部分文字列の位置を、前記問合せ文書の部分文字列の位置に従って補正する補正手段を更に備え、
前記算出手段は、前記補正手段で補正されることにより得られる前記登録文書の補正位置が同じ位置である場合、前記同じ位置関係を有する数として用いることを特徴とする請求項２または３に記載の情報処理装置。
【請求項５】
前記問合せ文書の部分文字列を対象に、前記記憶手段に記憶されている登録文書の該部分文字列の出現頻度に従って得られる当該部分文字列の情報量を算出する情報量算出手段と、
前記算出手段は、前記情報量算出手段によって算出した部分文字列の情報量の大きい順に、前記問合せ文書に対する部分文字列と前記登録文書に対する部分文字列と、の位置関係を求める度に積算された前記情報量が、所定量を超えるまで、前記部分文字列取得手段、前記算出手段、及び前記決定手段を実行することを特徴とする請求項１乃至４の何れか１項に記載の情報処理装置。
【請求項６】
前記問合せ文書の部分文字列を対象に、前記記憶手段に記憶されている登録文書に含まれる前記問合せ文書の部分文字列の先頭文字に対する出現頻度に従って得られる当該登録文書の情報エントロピーを算出する情報エントロピー算出手段と、
前記算出手段は、前記所定量を前記情報エントロピー算出手段によって算出した情報エントロピーとすることを特徴とする請求項５に記載の情報処理装置。
【請求項７】
前記算出手段は、前記同じ位置関係を有すると判定した部分文字列の数が所定値以上の前記補正位置における前記同じ位置関係を有する部分文字列の数を前記その部分文字列の数として用いることを特徴とする請求項４乃至６の何れか１項に記載の情報処理装置。
【請求項８】
前記決定手段は、前記算出手段により算出された近似度合が所定値以上の登録文書を、前記問合せ文書に近似する登録文書として決定することを特徴とする請求項１乃至７の何れか１項に記載の情報処理装置。
【請求項９】
前記算出手段は、前記問合せ文書に対する部分文字列と前記登録文書に対する部分文字列と、の位置関係が、所定位置の範囲内で同じ位置関係を有する場合に一致する数を前記その部分文字列の数として用いることを特徴とする請求項１乃至８の何れか１項に記載の情報処理装置。
【請求項１０】
前記算出手段は、前記問合せ文書に対する部分文字列を対象に、前記補正手段で補正されることにより得られる前記登録文書の補正位置の差が、許容値以内である場合、前記同じ位置関係を有する数として、算出を行うことを特徴とする請求項４乃至９の何れか１項に記載の情報処理装置。
【請求項１１】
前記算出手段は、前記同じ位置関係を有する数及び補正位置の差に従って、前記登録文書と前記問合せ文書との近似度合を算出することを特徴とする請求項１０に記載の情報処理装置。
【請求項１２】
前記算出手段は、前記問合せ文書に含まれる同じ位置の部分文字列を対象に、前記補正手段で補正されることにより得られる前記登録文書の補正位置が異なる場合、同じ位置関係を有する部分文字列の多い数を前記その部分文字列の数として用いることを特徴とする請求項４乃至１１の何れか１項に記載の情報処理装置。
【請求項１３】
指定された文書を示す問合せ文書の近似対象となる文書を示す登録文書に含まれる文章を分解することにより得られる部分文字列と、前記登録文書における当該部分文字列の位置と、を記憶する記憶手段を備え、指定される前記問合せ文書に近似する前記登録文書を決定する情報処理装置の制御方法であって、
前記情報処理装置の部分文字列取得手段が、前記問合せ文書を分解することにより得られる部分文字列と同じ部分文字列であって、前記記憶手段に記憶された登録文書に含まれる部分文字列を取得する部分文字列取得工程と、
前記情報処理装置の算出手段が、前記問合せ文書に対する前記部分文字列の位置及び前記部分文字列取得工程によって取得した登録文書に対する部分文字列の位置から求まる、前記問合せ文書に対する部分文字列と前記登録文書に対する部分文字列と、の位置関係とその部分文字列の数を用いて、前記登録文書と前記問合せ文書との近似度合を算出する算出工程と、
前記情報処理装置の決定手段が、前記算出工程による算出結果に従って、問合せ文書に近似する登録文書を決定する決定工程と、
を備えることを特徴とする情報処理装置の制御方法。
【請求項１４】
指定された文書を示す問合せ文書の近似対象となる文書を示す登録文書に含まれる文章を分解することにより得られる部分文字列と、前記登録文書における当該部分文字列の位置と、を記憶する記憶手段を備え、指定される前記問合せ文書に近似する前記登録文書を決定する情報処理装置で読み取り実行可能なプログラムあって、
前記情報処理装置を、
前記問合せ文書を分解することにより得られる部分文字列と同じ部分文字列であって、前記記憶手段に記憶された登録文書に含まれる部分文字列を取得する部分文字列取得手段と、
前記問合せ文書に対する前記部分文字列の位置及び前記部分文字列取得手段によって取得した登録文書に対する部分文字列の位置から求まる、前記問合せ文書に対する部分文字列と前記登録文書に対する部分文字列と、の位置関係とその部分文字列の数を用いて、前記登録文書と前記問合せ文書との近似度合を算出する算出手段と、
前記算出手段による算出結果に従って、問合せ文書に近似する登録文書を決定する決定手段として機能させることを特徴とするプログラム。
【手続補正２】
【補正対象書類名】明細書
【補正対象項目名】００１５
【補正方法】変更
【補正の内容】
【００１５】
本発明は、指定された文書を示す問合せ文書の近似対象となる文書を示す登録文書に含まれる文章を分解することにより得られる部分文字列と、前記登録文書における当該部分文字列の位置と、を記憶する記憶手段を備え、指定される前記問合せ文書に近似する前記登録文書を決定する情報処理装置であって、前記問合せ文書を分解することにより得られる部分文字列と同じ部分文字列であって、前記記憶手段に記憶された登録文書に含まれる部分文字列を取得する部分文字列取得手段と、前記問合せ文書に対する前記部分文字列の位置及び前記部分文字列取得手段によって取得した登録文書に対する部分文字列の位置から求まる、前記問合せ文書に対する部分文字列と前記登録文書に対する部分文字列と、の位置関係とその部分文字列の数を用いて、前記登録文書と前記問合せ文書との近似度合を算出する算出手段と、前記算出手段による算出結果に従って、問合せ文書に近似する登録文書を決定する決定手段と、を備えることを特徴とする。
【手続補正３】
【補正対象書類名】明細書
【補正対象項目名】００１６
【補正方法】変更
【補正の内容】
【００１６】
また、本発明は、指定された文書を示す問合せ文書の近似対象となる文書を示す登録文書に含まれる文章を分解することにより得られる部分文字列と、前記登録文書における当該部分文字列の位置と、を記憶する記憶手段を備え、指定される前記問合せ文書に近似する前記登録文書を決定する情報処理装置の制御方法であって、前記情報処理装置の部分文字列取得手段が、前記問合せ文書を分解することにより得られる部分文字列と同じ部分文字列であって、前記記憶手段に記憶された登録文書に含まれる部分文字列を取得する部分文字列取得工程と、前記情報処理装置の算出手段が、前記問合せ文書に対する前記部分文字列の位置及び前記部分文字列取得工程によって取得した登録文書に対する部分文字列の位置から求まる、前記問合せ文書に対する部分文字列と前記登録文書に対する部分文字列と、の位置関係とその部分文字列の数を用いて、前記登録文書と前記問合せ文書との近似度合を算出する算出工程と、前記情報処理装置の決定手段が、前記算出工程による算出結果に従って、問合せ文書に近似する登録文書を決定する決定工程と、を備えることを特徴とする。
【手続補正４】
【補正対象書類名】明細書
【補正対象項目名】００１７
【補正方法】変更
【補正の内容】
【００１７】
また、本発明は、指定された文書を示す問合せ文書の近似対象となる文書を示す登録文書に含まれる文章を分解することにより得られる部分文字列と、前記登録文書における当該部分文字列の位置と、を記憶する記憶手段を備え、指定される前記問合せ文書に近似する前記登録文書を決定する情報処理装置で読み取り実行可能なプログラムあって、前記情報処理装置を、前記問合せ文書を分解することにより得られる部分文字列と同じ部分文字列であって、前記記憶手段に記憶された登録文書に含まれる部分文字列を取得する部分文字列取得手段と、前記問合せ文書に対する前記部分文字列の位置及び前記部分文字列取得手段によって取得した登録文書に対する部分文字列の位置から求まる、前記問合せ文書に対する部分文字列と前記登録文書に対する部分文字列と、の位置関係とその部分文字列の数を用いて、前記登録文書と前記問合せ文書との近似度合を算出する算出手段と、前記算出手段による算出結果に従って、問合せ文書に近似する登録文書を決定する決定手段として機能させることを特徴とする。